(57)【要約】【課題】  ホストとしての機能を開始した直後に動作不能に陥ってしまうことを未然に防止する。【解決手段】  電源制御部８２は、撮像装置１００に接続された電源が電源ユニット３００であるか、大容量バッテリ４００であるか、通常バッテリ５００であるかを判別する。そして、撮像装置１００に接続された電源が通常バッテリ５００である場合、システム制御部５０は、ホストとして動作する動作モードを禁止する。【選択図】  図１
2011155705.tif 000002
【特許請求の範囲】
【請求項１】
ホストとして機能する第１の動作モードと、周辺機器として機能する第２の動作モードとを備えた電子機器であって、
前記電子機器に接続された電源の種類を判別する判別手段を備え、
前記第１の動作モードを前記電源の種類に応じて制限することを特徴とする電子機器。
【請求項２】
前記電子機器に接続された電源がＡＣ電源をＤＣ電源に変換する電源ユニットである場合、前記第１の動作モードを禁止しないことを特徴とする請求項１に記載の電子機器。
【請求項３】
前記電子機器に接続された電源が第１のバッテリよりも容量の少ない第２のバッテリである場合、前記第１の動作モードを禁止することを特徴とする請求項１または２に記載の電子機器。
【請求項４】
前記電子機器に接続された電源が前記第１のバッテリである場合、前記第１の動作モードを前記第１のバッテリの残量に応じて禁止することを特徴とする請求項３に記載の電子機器。
【請求項５】
前記第１の動作モードは、ＵＳＢ１．１規格、ＵＳＢ２．０規格またはその拡張規格に準拠したホストとして機能する動作モードであり、前記第２の動作モードは、ＵＳＢ１．１規格、ＵＳＢ２．０規格またはその拡張規格に準拠したＵＳＢデバイスとして機能する動作モードであることを特徴とする請求項１〜４の何れか１項に記載の電子機器。
【請求項６】
前記電子機器は、撮像装置であることを特徴とする請求項１〜５の何れか１項に記載の電子機器。
【請求項７】
ホストとして機能する第１の動作モードと、周辺機器として機能する第２の動作モードとを備えた電子機器であって、
前記電子機器に接続されたバッテリの残量を検出する検出手段を備え、
前記第１の動作モードを前記バッテリの残量に応じて制限することを特徴とする電子機器。
【請求項８】
前記第１の動作モードは、ＵＳＢ１．１規格、ＵＳＢ２．０規格またはその拡張規格に準拠したホストとして機能する動作モードであり、前記第２の動作モードは、ＵＳＢ１．１規格、ＵＳＢ２．０規格またはその拡張規格に準拠したＵＳＢデバイスとして機能する動作モードであることを特徴とする請求項７に記載の電子機器。
【請求項９】
前記電子機器は、撮像装置であることを特徴とする請求項７または８に記載の電子機器。
【発明の詳細な説明】
【技術分野】
【０００１】
本発明は、ホストとして機能する第１の動作モードと、周辺機器として機能する第２の動作モードとを備えた電子機器に関する。
【背景技術】
【０００２】
マウス、キーボード、ディジタルカメラ、プリンタなどの周辺機器をパーソナルコンピュータなどのホストに接続するインターフェースの規格の一つにＵＳＢ（Ｕｎｉｖｅｒｓａｌ  Ｓｅｒｉａｌ  Ｂｕｓ）１．１規格がある。
【０００３】
ＵＳＢ１．１規格によれば、ホストは、１つのＵＳＢシステムに１台存在し、同システムに存在する１つ以上の周辺機器（即ち、ＵＳＢデバイス）のデータ通信を管理することが規定されている。また、ＵＳＢ１．１規格によれば、ハイパワーハブポート（Ｈｉｇｈ−ｐｏｗｅｒ  Ｈｕｂ  Ｐｏｒｔ）を備えたホストは、１ポートあたり最大５００ｍＡの電流をＵＳＢデバイスまたはＵＳＢハブに供給することが規定されている。
【先行技術文献】
【特許文献】
【０００４】
【特許文献１】特開２００１−０７５６８２号公報
【特許文献２】特開２０００−２０９２３８号公報
【発明の概要】
【発明が解決しようとする課題】
【０００５】
カメラ一体型ディジタルビデオレコーダ、ディジタルカメラなどのバッテリで駆動する電子機器をＵＳＢシステムのホストとして機能させる場合について考える。この場合、１ポートあたり最大５００ｍＡの電流を出力しなければならないため、消費電力の大きいＵＳＢデバイスまたはＵＳＢハブが接続された場合には、バッテリの消耗が非常に早くなり、正常に動作できる時間が非常に短い時間に限られてしまうという問題がある。特に、バッテリの残量によっては、ＵＳＢシステムのホストとしての機能を開始した直後に、動作不能に陥ってしまうという問題がある。
【０００６】
本発明は、上述の問題を鑑みてなされたものであり、ホストとしての機能と周辺機器としての機能を備えた電子機器がホストとしての機能を開始した直後に動作不能に陥ってしまうことを未然に防止することを目的とする。
【課題を解決するための手段】
【０００７】
本発明の目的を達成するために、本発明の電子機器は、ホストとして機能する第１の動作モードと、周辺機器として機能する第２の動作モードとを備えた電子機器であって、前記電子機器に接続された電源の種類を判別する判別手段を備え、前記第１の動作モードを前記電源の種類に応じて制限することを特徴とする。
【０００８】
また、本発明の電子機器は、ホストとして機能する第１の動作モードと、周辺機器として機能する第２の動作モードとを備えた電子機器であって、前記電子機器に接続されたバッテリの残量を検出する検出手段を備え、前記第１の動作モードを前記バッテリの残量に応じて制限することを特徴とする。
【発明の効果】
【０００９】
以上説明したように、本発明によれば、ホストとしての機能と周辺機器としての機能を備えた電子機器がホストとしての機能を開始した直後に動作不能に陥ってしまうことを未然に防止することができる。
【図面の簡単な説明】
【００１０】
【図１】第１の実施の形態における撮像装置１００の構成を説明するブロック図である。
【図２】第１の実施の形態における撮像装置１００の主要な処理手順を説明するフローチャートである。
【図３】第２の実施の形態における撮像装置１００と電源ユニット３００を説明する図である。
【図４】第２の実施の形態における撮像装置１００と大容量バッテリ４００を説明する図である。
【図５】第２の実施の形態における撮像装置１００と通常バッテリ５００を説明する図である。
【図６】第３の実施の形態における撮像装置１００と電源ユニット３００を説明する図である。
【図７】第３の実施の形態における撮像装置１００と大容量バッテリ４００を説明する図である。
【図８】第３の実施の形態における撮像装置１００と通常バッテリ５００を説明する図である。
【発明を実施するための形態】
【００１１】
以下、図面を参照し、本発明の電子機器に好適な実施の形態を説明する。
【００１２】
（第１の実施の形態）
図１は、第１の実施の形態における撮像装置１００の構成を示すブロック図である。尚、第１の実施の形態における撮像装置１００は、カメラ一体型ディジタルビデオレコーダ、ディジタルカメラなどの撮像装置である。
【００１３】
１０は、レンズである。１２は、絞り、シャッターなどを備えた露光部である。１４は、光学像を電気信号に変換する撮像素子である。１６は、撮像素子１４から供給された電気信号を動画像データまたは静止画像データに変換するＡ／Ｄ変換器である。１８は、撮像素子１４、Ａ／Ｄ変換器１６及びＤ／Ａ変換器２６が動作するタイミングを制御するタイミング制御部である。２０は、Ａ／Ｄ変換器１６または記録／再生部３１から供給された動画像データまたは静止画像データに対して補間処理を行ったり、色変換処理を行ったりする画像処理部である。
【００１４】
２６は、データフロー制御部２２から供給された動画像データまたは静止画像データをアナログ画像信号に変換するＤ／Ａ変換器である。２８は、動画像データ、静止画像データ、撮像装置１００の動作モードを示す情報、撮像装置１００に接続された電源の種類を示す情報、バッテリの残量（または、残りの使用可能時間）を示す情報などを表示する表示部である。３０は、圧縮される前の動画像データまたは静止画像データを格納したり、圧縮された後の動画像データまたは静止画像データを格納したりするメモリである。３１は、圧縮された動画像データを記録媒体３３に記録したり、圧縮された動画像データを記録媒体３３から再生したりする記録／再生部である。３２は、動画像データまたは静止画像データを圧縮したり、圧縮された動画像データまたは静止画像データを伸長したりする圧縮／伸長部である。静止画像データを圧縮する場合、圧縮／伸長部３２は、ＪＰＥＧ方式、ＪＰＥＧ２０００方式などの静止画像圧縮方式の一つに従って圧縮する。また、動画像データを圧縮する場合、圧縮／伸長部３２は、ＭＰＥＧ−１方式、ＭＰＥＧ−２方式、ＤＶ規格のＳＤ方式、同規格のＳＤＬ方式などの動画像圧縮方式に従って動画像データを圧縮する。３３は、磁気テープ、磁気ディスク、光磁気ディスク、ハードディスクなどの記録媒体である。
【００１５】
４０は、露光部１２を制御する露光制御部である。４２は、レンズ１０のフォーカシングを制御する測距制御部である。４４は、レンズ１０のズーミングを制御するズーム制御部である。５０は、撮像装置１００を構成する各部を制御するシステム制御部である。５２は、システム制御部５０が扱う制御プラグラムや制御データを記憶するメモリである。５４は、撮像装置１００の動作モードを示す情報、撮像装置１００に接続された電源の種類を示す情報、バッテリの残量（または、残りの使用可能時間）を示す情報などを表示する表示部である。５６は、撮像装置１００の様々な調整データなどを記憶する不揮発性メモリである。
【００１６】
６０は、撮像装置１００が備える動作モードの一つを選択するモードダイヤルスイッチである。撮像装置１００が備える動作モードには、電源オフモード、記録モード、再生モード、消去モード、ホストモード、周辺機器モードなどがある。電源オフモードが選択された場合、撮像装置１００は、主電源をオフにする。記録モードが選択された場合、撮像装置１００は、ユーザの指示に従って撮影された静止画像または動画像を記憶媒体２００に記憶する。再生モードが選択された場合、撮像装置１００は、記憶媒体２００に記憶された静止画像または動画像をユーザの指示に従って再生する。消去モードが選択された場合、撮像装置１００は、記憶媒体２００に記憶された静止画像または動画像をユーザの指示に従って消去する。ホストモードが有効な場合、撮像装置１００は、ＵＳＢ１．１規格に準拠したホストとして機能する。例えば、ＵＳＢデバイスの一つであるプリンタが撮像装置１００に接続されている場合、撮像装置１００は、そのプリンタを制御し、撮像装置１００の静止画像データをダイレクトプリントすることができる。周辺機器モードが有効な場合、撮像装置１００は、ＵＳＢ１．１規格に準拠したＵＳＢデバイス（即ち、ホストによって管理される周辺機器）として機能する。このとき、撮像装置１００は、ホストからの指示に従って、ストレージクラスデバイスまたはイメージクラスデバイスとして動作する。
【００１７】
６２は、静止画像を記憶装置２００に記録することを指示するトリガースイッチである。６４は、動画像を記憶媒体３３に記録することを指示するトリガースイッチである。７０は、ズームスイッチ、メニューボタン、セットボタン、メニュー移動＋（プラス）ボタン、メニュー移動−（マイナス）ボタン、画像選択＋（プラス）ボタン、画像選択−（マイナス）ボタン、画質調整ボタン、露出補正ボタンなどを備えた操作部である。
【００１８】
８０は、電源ユニット３００、大容量バッテリ４００、通常バッテリ５００などを接続するコネクタである。電源ユニット３００は、ＡＣ電源を所定の電圧のＤＣ電源に変換する電源ユニットである。大容量バッテリ４００は、撮像装置１００が所定時間以上ホストモードとして機能することができるだけの容量を備えたバッテリである。また、通常バッテリ５００は、大容量バッテリ４００よりも容量の少ないバッテリである。尚、大容量バッテリ４００及び通常バッテリ５００は、リチウムイオン電池などの充電可能なバッテリ（二次電池）であっても、それ以外の電池であってもよい。８２は、ＤＣ−ＤＣコンバータ、通電するブロックを切り替えるスイッチ回路などを備えた電源制御部である。電源制御部８２は、電源ユニット３００が装着されているか否かを検出する機能、コネクタ８０に接続された電源の種類を判別する機能、大容量バッテリ４００の残量を判別する機能などを備える。
【００１９】
１１０は、ＵＳＢ１．１規格に準拠したＵＳＢデバイスとしての機能を備えたＵＳＢインターフェースである。１１２は、ホストまたはＵＳＢハブと接続可能なＢタイプコネクタである。尚、第１の実施の形態では、Ｂタイプコネクタ１１２を撮像装置１００の任意の位置（但し、電源ユニット３００、大容量バッテリ４００または通常バッテリ５００によって覆い隠されない位置）に設置する。１１４は、ホストまたはＵＳＢハブとＢタイプコネクタ１１２とを接続するＵＳＢケーブルである。撮像装置１００が周辺機器モードになった場合、ＵＳＢインターフェース１１０は、アクティブモードとなり、ＵＳＢシステムのホストによってデータ通信が管理される状態になる。またこの場合、ＵＳＢインターフェース１１０は、Ｂタイプコネクタ１１２に接続されたホストまたはＵＳＢハブから供給された最大５００ｍＡの電流を入力可能な状態になる。一方、撮像装置１００がホストモードになった場合、ＵＳＢインターフェース１１０は、非アクティブモードとなり、ＵＳＢシステムから切り離された状態になる。
【００２０】
１１１は、ＵＳＢ１．１規格に準拠したホストとしての機能を備えたＵＳＢインターフェースである。１１３は、ＵＳＢデバイスまたはＵＳＢハブと接続可能なＡタイプコネクタであり、Ｂタイプコネクタ１１２とは異なる形状を備える。尚、第１の実施の形態では、Ａタイプコネクタ１１３を撮像装置１００の任意の位置（但し、電源ユニット３００、大容量バッテリ４００または通常バッテリ５００によって覆い隠されない位置）に設置する。１１５は、ＵＳＢデバイスまたはＵＳＢハブとＡタイプコネクタ１１３とを接続するＵＳＢケーブルである。撮像装置１００がホストモードになった場合、ＵＳＢインターフェース１１１は、アクティブモードとなり、ＵＳＢデバイスのデータ通信を管理可能な状態になる。またこの場合、ＵＳＢインターフェース１１１は、Ａタイプコネクタ１１３に接続されたＵＳＢデバイスまたはＵＳＢハブに最大５００ｍＡの電流を出力可能な状態になる。一方、撮像装置１００が周辺機器モードになった場合、ＵＳＢインターフェース１１１は、非アクティブモードとなり、ＵＳＢシステムから切り離された状態になる。
【００２１】
１２０は、メモリカードなどの取り外し可能な記憶装置（所謂、リムーバブルメディア）である。記憶装置１２０は、半導体メモリ、磁気ディスク、光磁気ディスクなどの記憶媒体にデータを記録する記録部１２１と、撮像装置１００のインターフェース１２５とデータ通信可能なインターフェース１２２と、撮像装置１００のコネクタ１２４と接続可能なコネクタ１２３とを備える。１２４は、記憶媒体２００のコネクタ１２３と接続可能なコネクタである。１２５は、記憶媒体２００のインターフェース１２２とデータ通信可能なインターフェースである。１２６は、記憶媒体２００がコネクタ９２に装着されているか否かを検知する検知部である。１２７は、記憶媒体２００の誤消去防止爪の状態を検知する検知部である。
【００２２】
次に、図２を参照し、第２の実施の形態における電子機器の主要な処理手順を説明する。尚、図２に示すフローチャートは、ホストモードまたは周辺機器モードが選択された場合、ホストモードが所定時間以上継続された場合、ホストモードまたは周辺機器モードが選択された状態で、電源ユニット３００、大容量バッテリ４００または通常バッテリ５００を撮像装置１００に接続した場合に開始される。
【００２３】
ステップＳ２０１：システム制御部５０は、モードダイヤルスイッチ６０がホストモードを選択しているか否かを判別する。モードダイヤルスイッチ６０がホストモードを選択している場合、本フローチャートは、ステップＳ２０２に進む。そうでない場合、本フローチャートは、ステップＳ２０７に進む。
【００２４】
ステップＳ２０２：電源制御部８２は、撮像装置１００に電源ユニット３００が接続されているか否かを判別し、その結果をシステム制御部５０に通知する。電源ユニット３００が接続されていない場合、本フローチャートは、ステップＳ２０３に進む。一方、電源ユニット３００が接続されている場合、本フローチャートは、ステップＳ２０５に進む。
【００２５】
ステップＳ２０３：電源制御部８２は、撮像装置１００に大容量バッテリ４００が接続されているか、それとも、通常バッテリ５００が接続されているかを判別し、その結果をシステム制御部５０に通知する。大容量バッテリ４００が接続されている場合、本フローチャートは、ステップＳ２０４に進む。一方、通常バッテリ５００が接続されている場合、本フローチャートは、ステップＳ２０６に進む。
【００２６】
ステップＳ２０４：電源制御部８２は、大容量バッテリ４００の残量が所定のレベル（即ち、撮像装置１００がホストとして所定時間以上動作するのに十分なレベル）以上あるか否かを判別し、その結果をシステム制御部５０に通知する。大容量バッテリ４００の残量が所定のレベル以上ない場合、本フローチャートは、ステップＳ２０６に進む。一方、大容量バッテリ４００の残量が所定のレベル以上ある場合、本フローチャートは、ステップＳ２０５に進む。
【００２７】
ステップＳ２０５：システム制御部５０は、撮像装置１００の動作モードをホストモードとし、ＵＳＢインターフェース１１０を非アクティブモードとし、ＵＳＢインターフェース１１１をアクティブモードとする。これにより、撮像装置１００は、ＵＳＢシステムのホストとして機能し、同システムのＵＳＢデバイス（例えば、プリンタ）のデータ通信を管理することができるようになる。また、撮像装置１００は、Ａタイプコネクタ１１３に接続されたＵＳＢデバイスまたはＵＳＢハブに最大５００ｍＡの電流を出力することができるようになる。
【００２８】
ステップＳ２０６：システム制御部５０は、撮像装置１００の動作モードがホストモードとなることを禁止する。また、システム制御部５０は、ホストとして動作できないことを示す警告情報をユーザに通知するために、その警告情報を表示部２８または表示部５４に表示する。例えば、「バッテリの残量が不足しています。電源ユニット、または、十分に充電した大容量バッテリを装着して下さい。」というメッセージを表示部２８または表示部５４に表示する。
【００２９】
ステップＳ２０７：システム制御部５０は、モードダイヤルスイッチ６０が周辺機器モードを選択しているか否かを判別する。モードダイヤルスイッチ６０が周辺機器モードを選択している場合、本フローチャートは、ステップＳ２０８に進む。そうでない場合、本フローチャートは終了する。
【００３０】
ステップＳ２０８：システム制御部５０は、撮像装置１００の動作モードを周辺機器モードとし、ＵＳＢインターフェース１１０をアクティブモードとし、ＵＳＢインターフェース１１１を非アクティブモードとする。これにより、撮像装置１００は、ＵＳＢデバイスとして機能し、同システムのホスト（例えば、パーソナルコンピュータ）によってデータ通信が管理される状態になる。また、撮像装置１００は、Ｂタイプコネクタ１１２に接続されたホストまたはＵＳＢハブから供給された最大５００ｍＡの電流を入力することができるようになる。
【００３１】
以上説明したように、第１の実施の形態における撮像装置１００によれば、電源ユニット３００が接続されている場合には、ホストモードを禁止せず、通常バッテリ５００が接続されている場合には、ホストモードを禁止することができる。つまり、電源の種類に応じてホストモードを制限することができるので、撮像装置１００がホストとしての機能を開始した直後に動作不能になってしまうことを未然に防止することができる。
【００３２】
また、第１の実施の形態における撮像装置１００によれば、所定のレベル以上の残量がある大容量バッテリ４００が接続されている場合には、ホストモードを禁止せず、所定のレベル以上の残量がない大容量バッテリ４００が接続されている場合には、ホストモードを禁止することができる。つまり、大容量バッテリ４００の残量に応じてホストモードを制限することができるので、撮像装置１００がホストとしての機能を開始した直後に動作不能になってしまうことを未然に防止することができる。
【００３３】
尚、第１の実施の形態は、Ｂタイプコネクタ１１２とＡタイプコネクタ１１３とを別々に設けた構成について説明したが、第１の実施の形態は、Ｂタイプコネクタ１１２とＡタイプコネクタ１１３とを兼用するコネクタを１つだけ設けた構成でも実現することができる。
【００３４】
（第２の実施の形態）
第１の実施の形態では、Ｂタイプコネクタ１１２及びＡタイプコネクタ１１３を撮像装置１００の任意の位置（但し、電源ユニット３００、大容量バッテリ４００または通常バッテリ５００によって覆い隠されない位置）に設置する例について説明した。これに対して、第２の実施の形態では、Ａタイプコネクタ１１３を設置する位置に制限を加える例について説明する。
【００３５】
図３、図４及び図５を参照し、第２の実施の形態における撮像装置１００について説明する。尚、第２の実施の形態における撮像装置１００は、Ａタイプコネクタ１１３を設置する位置を除き、第１の実施の形態と同様の構成（即ち、図１に示す構成）を備える。また、第２の実施の形態における撮像装置１００は、第１の実施の形態と同様の処理手順（即ち、図２に示す処理手順）を実行する。
【００３６】
図３（ａ）は、電源ユニット３００を装着した撮像装置１００の側面の一例を示す図である。図３（ｂ）は、電源ユニット３００を装着した撮像装置１００の後面の一例を示す図である。図３（ａ）及び（ｂ）に示すように、Ａタイプコネクタ１１３は、電源ユニット３００によって覆い隠されることのない位置に配置されている。
【００３７】
図４（ａ）は、大容量バッテリ４００を装着した撮像装置１００の側面の一例を示す図である。図４（ｂ）は、大容量バッテリ４００を装着した撮像装置１００の後面の一例を示す図である。図４（ａ）及び（ｂ）に示すように、Ａタイプコネクタ１１３は、電源ユニット３００によって覆い隠されることのない位置に配置されている。尚、図４（ａ）及び（ｂ）に示すＡタイプコネクタ１１３は、図３（ａ）及び（ｂ）に示すＡタイプコネクタ１１３と同じ位置に配置されている。また、大容量バッテリ４００の形状及び装着位置は、電源ユニット３００のそれと略同一である。
【００３８】
図５（ａ）は、通常バッテリ５００を装着した撮像装置１００の側面の一例を示す図である。図５（ｂ）は、通常バッテリ５００を装着した撮像装置１００の後面の一例を示す図である。図５（ａ）及び（ｂ）に示すように、Ａタイプコネクタ１１３は、通常バッテリ５００により覆い隠される位置に設置されている。尚、図５（ａ）及び（ｂ）に示すＡタイプコネクタ１１３は、図３（ａ）及び（ｂ）に示すＡタイプコネクタ１１３と同じ位置に配置されている。
【００３９】
図３、図４及び図５に示すように、第２の実施の形態では、通常バッテリ５００には覆い隠されるが、電源ユニット３００及び大容量バッテリ４００には覆い隠されることのない位置にＡタイプコネクタ１１３を設置する。このような構成を採用することにより、通常バッテリ５００を撮像装置１００に接続した場合には、ＵＳＢデバイスまたはＵＳＢハブを撮像装置１００に物理的に接続できないようにすることができる。つまり、電源ユニット３００または大容量バッテリ４００を撮像装置１００に接続した場合に限り、Ａタイプコネクタ１１３を使用可能にすることができるので、撮像装置１００がホストとしての機能を開始した直後に動作不能になってしまうことを未然に防止することができる。
【００４０】
（第３の実施の形態）
第１及び第２の実施の形態では、撮像装置１００がＡタイプコネクタ１１３を備える例について説明した。これに対して、第３の実施の形態では、電源ユニット３００及び大容量バッテリ４００がＡタイプコネクタ１１３を備える場合について説明する。
【００４１】
図６、図７及び図８を参照し、第３の実施の形態における撮像装置１００について説明する。尚、第３の実施の形態における撮像装置１００は、Ａタイプコネクタ１１３の替わりにＡタイプコネクタ１１３とは形状の異なる独自のコネクタ１１６を備えている点を除き、第１の実施の形態と同様の構成（即ち、図１に示す構成）を備える。また、第３の実施の形態における撮像装置１００は、第１の実施の形態と同様の処理手順（即ち、図２に示す処理手順）を実行する。
【００４２】
図６（ａ）は、電源ユニット３００を装着した撮像装置１００の側面の一例を示す図である。図６（ｂ）は、電源ユニット３００を装着した撮像装置１００の後面の一例を示す図である。図６（ａ）及び（ｂ）に示すように、電源ユニット３００は、電源カプラ上にＡタイプコネクタ１１３を備える。尚、電源ユニット３００は、電力を撮像装置１００に供給する電源ラインの他に、Ａタイプコネクタ１１３とコネクタ１１６との間を中継する信号ラインを備える。このような構成を採用することにより、電源ユニット３００を撮像装置１００に装着しなければ、ホストまたはＵＳＢハブを撮像装置１００に接続することができないようになる。
【００４３】
図７（ａ）は、大容量バッテリ４００を装着した撮像装置１００の側面の一例を示す図である。図７（ｂ）は、大容量バッテリ４００を装着した撮像装置１００の後面の一例を示す図である。図７（ａ）及び（ｂ）に示すように、大容量バッテリ４００は、Ａタイプコネクタ１１３を備えている。尚、大容量バッテリ４００は、電力を撮像装置１００に供給する電源ラインの他に、Ａタイプコネクタ１１３とコネクタ１１６との間を中継する信号ラインを備えている。このような構成を採用することにより、大容量バッテリ４００を撮像装置１００に装着しなければ、ホストまたはＵＳＢハブを撮像装置１００に接続することができるようになる。
【００４４】
図８（ａ）は、通常バッテリ５００を装着した撮像装置１００の側面の一例を示す図である。図８（ｂ）は、通常バッテリ５００を装着した撮像装置１００の後面の一例を示す図である。図８（ａ）及び（ｂ）に示すように、通常バッテリ５００はＡタイプコネクタ１１３を備えていない。このような構成を採用することにより、通常バッテリ５００を撮像装置１００に装着した場合には、ホストまたはＵＳＢハブを撮像装置１００に物理的に接続することができないようになる。
【００４５】
以上説明したように、第３の実施の形態によれば、Ａタイプコネクタ１１３を電源ユニット３００及び大容量バッテリ４００に設置したので、通常バッテリ５００を撮像装置１００に接続した場合にはＵＳＢデバイスを撮像装置１００に物理的に接続できないようにすることができる。つまり、電源ユニット３００または大容量バッテリ４００を撮像装置１００に接続した場合に限り、Ａタイプコネクタ１１３を使用可能にすることができるので、撮像装置１００がホストとしての機能を開始した直後に動作不能になってしまうことを未然に防止することができる。
【００４６】
尚、上述の各実施の形態では、カメラ一体型ディジタルビデオレコーダ、ディジタルカメラなどの撮像装置について説明したが、本発明はこれに限るものではない。本発明は、ＵＳＢ１．１規格に準拠したホストの機能とＵＳＢ１．１規格に準拠したＵＳＢデバイスの機能とを備えた電子機器であれば適用することができる。
【００４７】
また、上述の各実施の形態では、ＵＳＢ１．１規格に準拠したホストの機能とＵＳＢ１．１規格に準拠したＵＳＢデバイスの機能とを備えた電子機器について説明したが、本発明はこれに限るものではない。本発明は、ＵＳＢ２．０規格またはその拡張規格に準拠したホストとＵＳＢ２．０規格またはその拡張規格に準拠したＵＳＢデバイスの機能とを備えた電子機器にも適用することができる。また、本発明は、ＵＳＢ１．１規格のように、ホストから周辺機器に所定の電流（または、電力）を供給するシステムにも適用することができる。
【符号の説明】
【００４８】
１０  レンズ
１２  露光部
１４  撮像素子
１６  Ａ／Ｄ変換器
１８  タイミング制御部
２２  画像処理部
２６  Ｄ／Ａ変換器
２８  表示部
３０  メモリ
３２  圧縮／伸長部
３１  記録／再生部
３３  記憶媒体
４０  露光制御手段
４２  測距制御手段
４４  ズーム制御手段
５０  システム制御部
５２  メモリ
５４  表示部
５６  不揮発性メモリ
６０  モードダイヤルスイッチ
６２  トリガースイッチ（静止画像用）
６４  トリガースイッチ（動画像用）
７０  操作部
８０  コネクタ
８２  電源制御部
１００  撮像装置
１１０  ＵＳＢインターフェース（ＵＳＢデバイス用）
１１１  ＵＳＢインターフェース（ホスト用）
１１２  Ｂタイプコネクタ
１１３  Ａタイプコネクタ
１１４、１１５  ＵＳＢケーブル
１２０  記憶装置
１２１  記録部
１２２  インターフェース（記憶装置１２０側）
１２３  コネクタ（記憶装置１２０側）
１２４  コネクタ（撮像装置１００側）
１２５  インターフェース（撮像装置１００側）
１２６  検知手段（記憶装置１２０の着脱）
１２７  検知手段（誤消去防止爪の状態）
３００  電源ユニット
４００  大容量バッテリ
５００  通常バッテリ
【図１】
2011155705.tif 000003
【図２】
2011155705.tif 000004
【図３】
2011155705.tif 000005
【図４】
2011155705.tif 000006
【図５】
2011155705.tif 000007
【図６】
2011155705.tif 000008
【図７】
2011155705.tif 000009
【図８】
2011155705.tif 000010